【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
入力される映像データの映像フォーマットに対応する第１のダイナミックレンジのうち、表示対象とする第２のダイナミックレンジを設定する設定手段と、
設定された前記第２のダイナミックレンジに基づき、入力された映像データに対して第１変換処理を行うためのルックアップテーブルである第１ＬＵＴを作成する第１作成手段と、
作成された前記第１ＬＵＴを用いて、入力された映像データに対して第１変換処理を行う第１変換処理手段と、
前記第１のダイナミックレンジに基づき、前記第１変換処理された映像データに対して第２変換処理を行うためのルックアップテーブルである第２ＬＵＴを作成する第２作成手段と、
前記第２ＬＵＴを用いて、前記第１変換処理された映像データに対して第２変換処理を行う第２変換処理手段と、
を備えることを特徴とする画像処理装置。
【請求項２】
前記第１作成手段は、前記入力される映像データの映像フォーマットに対応する前記第１のダイナミックレンジと、設定された前記第２のダイナミックレンジとの比率に基づき、入力された映像データに対して第１変換処理を行うためのルックアップテーブルである第１ＬＵＴを作成する
ことを特徴とする請求項１に記載の画像処理装置。
【請求項３】
前記第１作成手段は、前記入力される映像データの映像フォーマットに対応する前記第１のダイナミックレンジに対する、設定された前記第２のダイナミックレンジとの比率が小さいほど、低階調の階調性が高められる前記第１変換処理が行われるように、第１ＬＵＴを作成する
ことを特徴とする請求項２に記載の画像処理装置。
【請求項４】
前記第１作成手段は、前記入力される映像データの映像フォーマットに対応する前記第１のダイナミックレンジに対する、設定された前記第２のダイナミックレンジとの比率が小さいほど、小さいγ値を用いて、第１ＬＵＴを作成する
ことを特徴とする請求項３に記載の画像処理装置。
【請求項５】
前記第１作成手段は、前記入力される映像データの映像フォーマットに対応する前記第１のダイナミックレンジに対する、設定された前記第２のダイナミックレンジとの比率が小さいほど、大きいゲイン値を用いて、第１ＬＵＴを作成する
ことを特徴とする請求項３に記載の画像処理装置。
【請求項６】
前記第２作成手段は、前記入力される映像データの映像フォーマットに対応する前記第１のダイナミックレンジの最大値に対応する格子点および最小値に対応する格子点を少なくとも割り当てた前記第２ＬＵＴを作成する、
ことを特徴とする請求項１から請求項５までのいずれか１項に記載の画像処理装置。
【請求項７】
前記第２作成手段は、前記入力される映像データの映像フォーマットに対応する前記第１のダイナミックレンジに対する、設定された前記第２のダイナミックレンジの比率が小さいほど、低階調範囲に格子点を多く割り当てた前記第２ＬＵＴを作成する、
ことを特徴とする請求項１から請求項６までのいずれか１項に記載の画像処理装置。
【請求項８】
前記第１ＬＵＴは、１次元のＬＵＴであり、
前記第２ＬＵＴは、３次元のＬＵＴである
ことを特徴とする請求項１から請求項７までのいずれか１項に記載の画像処理装置。
【請求項９】
前記設定手段は、ユーザ操作に従って、前記第２のダイナミックレンジを設定する
ことを特徴とする請求項１から請求項８までのいずれか１項に記載の画像処理装置。
【請求項１０】
前記設定手段は、入力された映像データから前記第２のダイナミックレンジに相当するダイナミックレンジを示す情報を取得し、取得した情報に基づいて、前記第２のダイナミックレンジを設定する
ことを特徴とする請求項１から請求項８までのいずれか１項に記載の画像処理装置。
【請求項１１】
前記設定手段は、入力された映像データを解析した結果に基づいて、前記第２のダイナミックレンジを設定する
ことを特徴とする請求項１から請求項８までのいずれか１項に記載の画像処理装置。
【請求項１２】
前記設定手段は、ユーザ操作に従って、前記第１のダイナミックレンジを設定する
ことを特徴とする請求項１から請求項１１までのいずれか１項に記載の画像処理装置。
【請求項１３】
作成された前記第１ＬＵＴ又は前記第２ＬＵＴを外部に出力する出力手段をさらに備える
ことを特徴とする請求項１から請求項１２までのいずれか１項に記載の画像処理装置。
【請求項１４】
前記第１変換処理は、前記第２のダイナミックレンジに対応する階調範囲の階調性を高め、かつ、前記第２のダイナミックレンジに対応する階調範囲よりも高い階調値は最大階調値に変換する処理であることを特徴とする請求項１から請求項３および請求項５から請求項１３までのいずれか１項に記載の画像処理装置。
【請求項１５】
請求項１から請求項１４までのいずれか１項に記載の画像処理装置と、
前記第２変換処理手段により第２変換処理された映像データを表示する表示手段と、を備える表示装置。
【請求項１６】
入力される映像データの映像フォーマットに対応する第１のダイナミックレンジのうち、表示対象とする第２のダイナミックレンジを設定する設定ステップと、
設定された前記第２のダイナミックレンジに基づき、入力された映像データに対して第１変換処理を行うためのルックアップテーブルである第１ＬＵＴを作成する第１作成ステップと、
作成された前記第１ＬＵＴを用いて、入力された映像データに対して第１変換処理を行う第１変換処理ステップと、
前記第１のダイナミックレンジに基づき、前記第１変換処理された映像データに対して第２変換処理を行うためのルックアップテーブルである第２ＬＵＴを作成する第２作成ステップと、
前記第２ＬＵＴを用いて、前記第１変換処理された映像データに対して第２変換処理を行う第２変換処理ステップと、
を有することを特徴とする画像処理方法。
【請求項１７】
入力される映像データの映像フォーマットに対応する第１のダイナミックレンジのうち、表示対象とする第２のダイナミックレンジを設定する設定手段と、
入力された映像データに対して、低階調側の階調範囲の階調性を高め、かつ、所定の階調値よりも高い階調値は最大階調値に変換する第１変換処理を行うためのルックアップテーブルである第１ＬＵＴを用いて、入力された映像データに対して第１変換処理を行う第１変換処理手段と、
設定された前記第２のダイナミックレンジに基づき、前記第１変換処理された映像データに対して第２変換処理を行うためのルックアップテーブルである第２ＬＵＴを用いて、前記第１変換処理された映像データに対して第２変換処理を行う第２変換処理手段と、
を備えることを特徴とする画像処理装置。
【請求項１８】
前記第１ＬＵＴは、１次元のＬＵＴであり、
前記第２ＬＵＴは、３次元のＬＵＴである
ことを特徴とする請求項１７に記載の画像処理装置。
【請求項１９】
前記設定手段は、ユーザ操作に従って、前記第２のダイナミックレンジを設定する
ことを特徴とする請求項１７または請求項１８に記載の画像処理装置。
【請求項２０】
前記設定手段は、入力された映像データから前記第２のダイナミックレンジに相当するダイナミックレンジを示す情報を取得し、取得した情報に基づいて、前記第２のダイナミックレンジを設定する
ことを特徴とする請求項１７または請求項１８に記載の画像処理装置。
【請求項２１】
前記設定手段は、入力された映像データを解析した結果に基づいて、前記第２のダイナミックレンジを設定する
ことを特徴とする請求項１７または請求項１８に記載の画像処理装置。
【請求項２２】
前記設定手段は、ユーザ操作に従って、前記第１のダイナミックレンジを設定する
ことを特徴とする請求項１７から請求項２１までのいずれか１項に記載の画像処理装置。
【請求項２３】
請求項１７から請求項２２までのいずれか１項に記載の画像処理装置と、
前記第２変換処理手段により第２変換処理された映像データを表示する表示手段と、を備える表示装置。
【請求項２４】
入力される映像データの映像フォーマットに対応する第１のダイナミックレンジのうち、表示対象とする第２のダイナミックレンジを設定する設定ステップと、
入力された映像データに対して、低階調側の階調範囲の階調性を高め、かつ、所定の階調値よりも高い階調値は最大階調値に変換する第１変換処理を行うためのルックアップテーブルである第１ＬＵＴを用いて、入力された映像データに対して第１変換処理を行う第１変換処理ステップと、
設定された前記第２のダイナミックレンジに基づき、前記第１変換処理された映像データに対して第２変換処理を行うためのルックアップテーブルである第２ＬＵＴを用いて、前記第１変換処理された映像データに対して第２変換処理を行う第２変換処理ステップと、
を有することを特徴とする画像処理方法。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】０００１
【補正方法】変更
【補正の内容】
【０００１】
本発明は、広いダイナミックレンジの映像フォーマットを有する映像データを入力することが可能な画像処理装置及び画像処理方法に関する。
【手続補正４】
【補正対象書類名】明細書
【補正対象項目名】０００７
【補正方法】変更
【補正の内容】
【０００７】
そこで、本発明は、広いダイナミックレンジの映像フォーマットを有する映像データに対しても、ルックアップテーブルを用いた変換処理を好適に行うことが可能な画像処理装置及び画像処理方法を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】削除
【補正の内容】